(57)【要約】【課題】コインが払い出される部分、及びバケット内で発生する静電気を効果的に除去することが可能なコイン払出装置を提供する。【解決手段】本発明のコイン払出装置１は、円周上に複数のコイン用の開口が形成された回転板２６と、この回転板２６を駆動する駆動モータ２２と、この駆動モータ２２に電力を供給するコネクタ３０と、コインを１枚づつ払い出す払出部とを備えた払出ユニット２０と、この払出ユニット上に設置され、コインを蓄積するバケット１０とを有する。そして、バケット１０の内面に第１アースプレート１４を設け、払出部に第２アースプレートを設けたことを特徴とする。【選択図】    図２
2005316895.tif 000002
【特許請求の範囲】
【請求項１】
円周上に複数のコイン用の開口が形成された回転板と、この回転板を駆動する駆動モータと、この駆動モータに電力を供給するコネクタと、コインを１枚づつ払い出す払出部とを備えた払出ユニットと、
この払出ユニット上に設置され、コインを蓄積するバケットと、
を有し、
前記バケットの内面に第１アースプレートを設け、前記払出部に第２アースプレートを設けたことを特徴とするコイン払出装置。
【請求項２】
前記払出ユニットに、前記バケットが払出ユニットに装着された際に接触する導電性の中継部材を装着し、前記中継部材と前記第１アースプレートを電気的に接続したことを特徴とする請求項１に記載のコイン払出装置。
【請求項３】
前記コネクタにアース端子を装着し、前記中継部材を前記第２アースプレートに電気的に接続すると共に、前記第２アースプレートを前記アース端子に電気的に接続したことを特徴とする請求項２に記載のコイン払出装置。
【請求項４】
円周上に複数のコイン用の開口が形成された回転板と、この回転板を駆動する駆動モータと、この駆動モータに電力を供給するコネクタと、コインを１枚づつ払い出す払出部とを備えた払出ユニットと、
この払出ユニット上に設置され、コインを蓄積するバケットと、
を有し、
前記バケットの内面にアースプレートを設けたことを特徴とするコイン払出装置。
【発明の詳細な説明】
【技術分野】
【０００１】
本発明は、コイン、メダル等の円盤状の媒体（以下、このような円盤状の媒体を「コイン」と総称する）を多数収容し、これを１枚づつ払い出すコイン払出装置に関する。
【背景技術】
【０００２】
上記したコイン払出装置として、例えば、特許文献１に開示されているように、スロットマシンの内部に組み込まれ、遊技における入賞役に応じて、所定枚数のコインを遊技者側に設けられた受皿に払出すものが知られている。通常、スロットマシンの内部に組み込まれるコイン払出装置は、特許文献１に開示されているように、円周上に複数のコイン用の開口が形成された回転板（コインディスク）、回転板を駆動する駆動モータ、駆動モータの回転を制御する制御基板、及び、駆動モータに電力を供給すると共に制御基板に制御信号を送信するコネクタ等を有する払出ユニットを基台（ベース）に組み付けて構成されている。そして、この基台に対して、多数のコインが蓄積できるバケットを装着している。
【特許文献１】特開平７−８５３３３号
【発明の開示】
【発明が解決しようとする課題】
【０００３】
上記したコイン払出装置は、バケット内に多数のコインが蓄積され、かつその下部においてコインディスクが回転することで、払い出し操作が実行されることから、コイン同士の摩擦、コインとバケット表面との間の摩擦、コインと払出部との間の摩擦等によって静電気が蓄積されるようになり、特に、払出部は、最もコインの挙動が激しいことから、摩擦による静電気が発生、蓄積し易い。そして、このような静電気は、遊技機などの外部装置やコイン払出装置の制御を行なう各種の制御基板に悪影響を及ぼしたり、外部装置やコイン払出装置の誤作動の原因にもなり得る。
【０００４】
従来は、コインが払い出される払出部に、浸炭焼入れされたステンレス板が取り付けられており、これが払出部に発生する静電気をアースする機能を果たしていたが、単にステンレス板を取り付けただけでは、充分に静電気を除去することはできず、また、コインが蓄積されるバケット内で発生する静電気については、これを効果的に除去することはできなかった。
【０００５】
この発明は、上記した問題に基づいてなされたものであり、コインが払い出される部分、及びバケット内で発生する静電気を効果的に除去することが可能なコイン払出装置を提供することを目的とする。
【課題を解決するための手段】
【０００６】
上記した目的を達成するために、請求項１に係るコイン払出装置は、円周上に複数のコイン用の開口が形成された回転板と、この回転板を駆動する駆動モータと、この駆動モータに電力を供給するコネクタと、コインを１枚づつ払い出す払出部とを備えた払出ユニットと、この払出ユニット上に設置され、コインを蓄積するバケットと、を有し、前記バケットの内面に第１アースプレートを設け、前記払出部に第２アースプレートを設けたことを特徴とする。
【０００７】
上記した構成のコイン払出装置によれば、コインの摩擦によって実際に静電気が発生する部分であるコインが蓄積収容されるバケットの内面、及びコインが払い出される払出部に夫々アースプレートを装着したことにより、静電気の発生を効果的に抑制するコイン払出装置が得られ、これにより、静電気による各種制御基板等への悪影響を防止できると共に、誤作動が生じることが防止される。
【０００８】
また、請求項２に係るコイン払出装置は、前記払出ユニットに、前記バケットが払出ユニットに装着された際に接触する導電性の中継部材を装着し、前記中継部材と前記第１アースプレートを電気的に接続したことを特徴とする。
【０００９】
このような構成によれば、単にバケットを払出ユニットに装着するだけで、バケット内で発生する静電気を確実に払出ユニット側に流して除去することが可能となる。
【００１０】
また、請求項３に係るコイン払出装置は、請求項２に係る発明において、前記コネクタにアース端子を装着し、前記中継部材を前記第２アースプレートに電気的に接続すると共に、前記第２アースプレートを前記アース端子に電気的に接続したことを特徴とする。
【００１１】
このような構成によれば、コイン払出装置に発生する静電気（バケット内で発生する静電気、及び払出部で発生する静電気）は、第１アースプレート〜中継部材〜第２アースプレート〜コネクタ部のアース端子、の流れで除去することが可能となるため、静電容量が増加した場合でも、効果的に除去することが可能となる。
【００１２】
また、請求項４に係るコイン払出装置は、円周上に複数のコイン用の開口が形成された回転板と、この回転板を駆動する駆動モータと、この駆動モータに電力を供給するコネクタと、コインを１枚づつ払い出す払出部とを備えた払出ユニットと、この払出ユニット上に設置され、コインを蓄積するバケットと、を有し、前記バケットの内面にアースプレートを設けたことを特徴とする。
【００１３】
このような構成によれば、多量のコインが蓄積されるバケット内で、コイン同士の摩擦によって生じる静電気を効果的に除去することが可能となる。
【発明の効果】
【００１４】
本発明に係るコイン払出装置によれば、使用時に最も静電気が発生する部分であるコインの払出部、及びバケットの内面にアースプレートを設けたことにより、全体として静電気を効果的に除去することが可能なコイン払出装置が得られる。
【発明を実施するための最良の形態】
【００１５】
以下、本発明に係るコイン払出装置の一実施形態について、図１から図８を参照しながら説明する。なお、これらの図において、図１は、コイン払出装置の全体構成を示す斜視図、図２は、図１に示すコイン払出装置の分解斜視図、図３は、図１に示すコイン払出装置のバケットの平面図、図４は、バケットを裏側から見た図、図５は、図２に示す払出ユニットの分解斜視図、図６は、払出ユニットの構成を示す斜視図、図７は、払出ユニットを裏面から見た図、そして、図８は、中継部材と第２アースプレート、及び第２アースプレートとコネクタのアース端子の接続配線を示す図である。
【００１６】
コイン払出装置１は、コインを多数蓄積するバケット１０と、バケット１０に蓄積されたコインを１枚づつ払出す払出ユニット２０と、スロットマシン本体やサンド装置等、各種の機器に設置されるベース６０の３つのユニットによって構成されており、各ユニットは、相互に分離可能に構成されている。
【００１７】
前記バケット１０は、実際に払出されるコインを多数収容する凹状の収容部１１と、収容部１１の下面に形成されたコイン供給口１２とを備えており、この供給口１２を通してコインが払出ユニット２０に送られる。なお、バケット１０の下面側には、着脱機構１０ａが形成されており、バケット１０はベース６０に対して着脱可能となっている（着脱機構については、各種公知の手段が用いられるため、詳細については省略する）。また、本実施形態のバケット１０は、例えば、遊技機と遊技機との間の狭いスペースに設置可能（遊技機間に設置されるサンド装置に組み込み可能）となるように、その幅は、ベース６０の幅と略同一となるように構成されている。
【００１８】
前記バケット１０の収容部１１は、蓄積されたコインを重力によってコイン供給口１２に案内するように、すり鉢状に形成されており、その表面部１０ｂには、蓄積されたコインの摩擦によって生じる静電気を放電するためのアースプレート（第１アースプレート）１４がネジ１５等によって取着されている。アースプレート１４は、ステンレスなどの金属材料によって形成されており、バケット１０内で発生する静電気を除去すべく、少なくとも、コインが接触できるように表面部１０ｂに沿って、蓄積されるコインと接触するコイン接触部１４ａを備えている。
【００１９】
なお、本実施形態のアースプレート１４は、更に、略直角に屈曲形成されており、前記バケット１０の前方下部に突出形成された突出片１０ｃの下面に沿って取着される中継部１４ｂを備えている。この中継部１４ｂは、突出片１０ｃに対してネジ１６等によって取着されており、バケット１０をベース６０（払出ユニット２０）に設置した際、後述する払出ユニット２０（払出ベース２１）に設けられる中継部材と面接触するようになっている。
【００２０】
前記払出ユニット２０は、払出部においてコインを一定姿勢にして、図２の矢印方向に向けて１枚づつ払出す機能を備えており、水平面に対して傾斜した状態で設置される払出ベース２１を備えている。この払出ベース２１の裏面側には、駆動モータ２２が装着されており、駆動モータ２２は、モータプレート２３及びギヤケース２４を介して払出ベース２１に着脱可能に装着されている。
【００２１】
前記駆動モータ２２の出力軸２２ａは、モータプレート２３の孔２３ａを貫通してギヤケース２４内に設置される減速ギヤ２５と噛合されており、その回転駆動力は、減速された状態で後述するコインディスクに伝達されるようになっている。また、ギヤケース内に設置される減速ギヤ２５には、上方に向けて回転軸２５ａが突設されており、この回転軸２５ａは、断面非円形状で、払出ベース２１に形成された孔２１ａを介してその表面から突出している。
【００２２】
前記払出ベース２１の表面には、中心に孔２１ａが位置する円形の凹所２１ｂが形成されており、ここに回転板（コインディスク）２６が着脱可能に装着される。コインディスク２６の中央部には、前記減速ギヤ２５の回転軸２５ａと回り止め嵌合される嵌合孔２６ａが形成されると共に、その円周上には、複数（本実施形態では４つ）のコイン用の開口２６ｂが形成されている。そして、コインディスク２６が回転軸２５ａに対して回り止め装着された状態で、その上方からコインディスク押え２８が装着される。なお、本実施形態では、払出ベース２１の両サイドにおいて、コインディスクが干渉する部分に切欠２１ｃを形成しており、払出ベース２１本体を幅方向に可及的に小型化している。
【００２３】
また、払出ベース２１には、コネクタ３０が突出するように設けられており、このコネクタ３０を介して駆動モータ２２に対して電力を供給すると共に、駆動モータの駆動制御等を行なう制御基板（図示せず）が外部装置のメイン制御基板に接続されて、制御信号の送受信が行なわれるようになっている。そして、外部装置からコインの払出しの枚数信号が入力されると、駆動モータ２２が駆動され、コインの払出しが実行される。なお、前記コネクタ３０には、アース用の端子（図示せず）が設けられている。
【００２４】
さらに、払出ベース２１には、上記したバケット１０の突出片１０ｃに取着されているアースプレート１４の中継部１４ｂが面接触できるように、導電性を有する中継部材３２が取着されている。この場合、中継部材３２は、略Ｌ字状に形成されて、コネクタ３０の表面部に対してネジ３３等によって固定されており、また、その一部において、後述する第２アースプレートに静電気が流れるように、配線３５の一端が接続されている。
【００２５】
前記バケット１０の収容部１１に貯留されているコインは、コイン供給口１２を通じてコインディスク２６の開口２６ｂ内に位置しており、コインディスク２６が回転駆動されることにより、払出ベース２１に設けられコインを払い出す払出部としての機能を有するコイン押出機構４０を介して、１枚づつ、払出ベース２１とコインディスク２６との間の払出経路（隙間）２１ｄから払い出される。
【００２６】
コイン押出機構４０は、払出経路２１ｄ上で隣接して設置され、コインディスク２６の回転に伴ってコインが接触した際、コインを排出経路２１ｄに向けて押し出す２つの可動ローラ４１，４２と、各可動ローラに対向して配置され、排出経路２１ｄを形成する案内プレート４３とを備えている。この案内プレート４３は、ステンレスなどの金属によって形成されており、払出部で発生する静電気を除去するアースプレートとしての機能を備えている（以下、案内プレート４３を第２アースプレート４３と称する）。
【００２７】
そして、この第２アースプレート４３の裏面側には、上記した配線３５の他端が接続されると共に、第２アースプレート４３に蓄積される静電気を、前記コネクタ３０のアース端子に導電させるように、配線４５が接続されている。
【００２８】
上記した可動ローラ４１，４２は、払出ベース２１の裏面側に装着された複数の回動支持部材（図示せず）によって、排出経路２１ｄを閉じる方向に回動付勢されている。各回動支持部材には、上下方向に隣接して遮光部４７，４８が形成されており、各遮光部４７，４８は、センサ装置５０の発光部５３と受光部５４との間に位置するよう付勢されている。そして、コインディスク２６の回転と共に搬送されるコインが可動ローラ４１，４２に接触すると、各回動支持部材に形成された遮光部４７，４８は、付勢力に抗して前記センサ装置５０の発光部５３と受光部５４との間から退避するように回動される。このときコインは、可動ローラ４１，４２と第２アースプレート４３との間に位置しており、回動支持部材の付勢力によって、排出経路２１ｄの排出方向に向けて１枚づつ押し出される。なお、前記センサ装置５０は、コインの払出しに伴って往復回動する回動支持部材の遮光部４７，４８の動作（１枚毎の払出し）を検出して、上述した制御基板に対して検知信号（検出パルス）を送信する。
【００２９】
上述したベース６０は、前記払出ユニット２０を着脱可能に装着すると共に、払出ユニット２０を傾斜して保持する傾斜面６１ａが形成された凹所６１と、前記バケット１０に設けられた着脱機構１０ａが係合される係合部６０ａとを備えている。なお、係合部６０ａには、バケット１０を設置固定するためのビス（図示せず）が装着されるビス孔６０ｂが形成されている。また、前記傾斜面６１ａには、前記払出ユニット２０を装着するための位置決め用の保持孔６１ｂが形成されており、払出ユニット２０は、バケット１０とベース６０との間に設置される。なお、ベース６０には、垂直壁部６５が設けられており、払出ユニット２０が設置された際、垂直壁部６５に形成された開口６５ａ部分から、前記コネクタ３０部分が露出するようになっている。
【００３０】
そして、上記した３つのユニット（バケット１０、払出ユニット２０、ベース６０）が組み付けられることにより、図１に示すような形態となり、払出ユニット２０は、コネクタ３０の部分のみが露出して、バケット１０とベース６０との間の空間に収容された状態となる。
【００３１】
上記したコイン払出装置１によれば、コインの摩擦によって静電気が発生し易い部分、すなわち、コインが蓄積収容されるバケットの内面に第１アースプレート１４を設け、かつ、コインの払出部４０に第２アースプレート４３を装着したことにより、静電気の発生を効果的に抑制することができ、静電気による各種機器への悪影響を防止できると共に、誤作動の発生を防止することが可能となる。
【００３２】
また、上記した構成では、払出ユニット２０に導電性の中継部材３２を装着しており、単にバケット１０を払出ユニット２０に対して装着しただけで、静電気を簡単に配線３５を介して第２アースプレート４３を利用してアースさせることが可能となり、コイン払出装置全体として、発生する静電気を効率的に除去することが可能となる。
【００３３】
さらに、上記した構成では、前記コネクタ３０にアース端子を装着しており、第２アースプレート４３を、配線４５を介してアース端子に電気的に接続しているため、コイン払出装置１に発生する静電気を、最終的にコネクタ３０のアース端子を介して放出することができ、静電容量が増加した場合でも、効果的に除去することが可能となる。
【００３４】
上述した構成のコイン払出装置では、バケット１０、払出ユニット２０、ベース６０の３つのユニットが相互に分離できるように構成されていることから、最も高価なユニットである払出ユニット２０を異なる装置に内蔵されるコイン払出装置で共有化することが可能となる。すなわち、スロットマシン用、或いはサンド装置用のように、ベース部分を考慮して払出ユニットを設計等する必要が無く、単に、取り付ける外部機器の大きさやスペース等を考慮して、一体成型可能である安価なバケット１０やベース６０部分のみを取り換えることで、様々な機器に適応させることができ、コイン払出装置のコストを安くすることが可能になる。具体的には、例えば、スロットマシンのような大型の遊技機の内部に設置する場合は、図９に示すように、多量のコインが蓄積できるように、上記したバケット１０に代え、幅方向に大型のバケット８０が装着される。この場合、バケット８０にも、同様な構成の第１アースプレートが装着されている。
【００３５】
以上、本発明の実施形態について説明したが、本発明は、静電気が最も発生する部分であるバケット部分、及びコインの払い出しが実行される払出部において、発生した静電気を効果的に除去できるようにアースプレートを装着したものであれば良く、夫々のアースプレートの形状、取り付け位置、及びその取り付け方法については、適宜変形することが可能である（アースプレートはバケット部分に設けられた構成であっても良い）。また、上記した実施形態では、中継部材３２を介して第１アースプレート１４と第２アースプレート４３を接続したが、中継部材を介在させること無く、単に配線のみで接続するようにしても良い。さらに、アースが取れるところであれば、コネクタ３０以外にアース用の端子等を設けても良い。
【００３６】
また、本発明に係るコイン払出装置は、上記した実施形態のように、コインを蓄積するバケット１０、コインの払出を行なう払出ユニット２０、及び外部機器に装着されるベース６０の３つのユニットが相互に分離できるように構成されていなくても良く、各ユニットの形状や構成についても図示した実施形態に限定されることは無く、種々変形することが可能である。例えば、バケット１０を、ベース６０と一体化された払出ユニット２０に対して着脱できるように構成しても良いし、払出ユニット２０をバケット１０の下部に取り付け、払出ユニットと一体となったバケットをベース６０に取り付けるような構成であっても良い。また、払出ユニット２０におけるコインディスク２６の開口２６ｂの個数、コネクタ３０の設置位置、ベース６０に対する装着手段等については、適宜変形することが可能である。
【産業上の利用可能性】
【００３７】
本発明は、上記したスロットマシンやサンド装置のように遊技媒体の払い出し処理以外にも、硬貨を払い出す現金払出装置に応用しても良い。
【図面の簡単な説明】
【００３８】
【図１】本発明に係るコイン払出装置の一実施形態を示す斜視図。
【図２】図１に示すコイン払出装置の分解斜視図。
【図３】図１に示すコイン払出装置のバケットの平面図。
【図４】バケットを裏側から見た図。
【図５】図２に示す払出ユニットの分解斜視図。
【図６】払出ユニットの構成を示す斜視図。
【図７】払出ユニットを裏面から見た図。
【図８】中継部材と第２アースプレート、及び第２アースプレートとコネクタのアース端子の接続配線を示す図。
【図９】コイン払出装置の変形例を示す斜視図。
【符号の説明】
【００３９】
１  コイン払出装置
１０  バケット
１２  コイン供給口
１４  第１アースプレート
２０  払出ユニット
２２  駆動モータ
２６  コインディスク
３０  コネクタ
３２  中継部材
３５，４５  配線
４０  コイン押出機構（払出部）
４３  案内プレート（第２アースプレート）
６０  ベース
【図１】
2005316895.tif 000003
【図２】
2005316895.tif 000004
【図３】
2005316895.tif 000005
【図４】
2005316895.tif 000006
【図５】
2005316895.tif 000007
【図６】
2005316895.tif 000008
【図７】
2005316895.tif 000009
【図８】
2005316895.tif 000010
【図９】
2005316895.tif 000011